(57)【要約】  錠における電子式シリンダのための上記クラッチ作動機構およびそれを動作させる方法。  錠における電子式シリンダのための上記クラッチ作動機構は、モータによって供給されるエネルギーを蓄えること、およびクラッチのつながっている位置からクラッチのつながっていない位置まで通るときに当該エネルギーをクラッチに戻すことを担っているクラッチ作動機構に、特に関し、このすべては、低下されたエネルギー消費によって実施される。また、上記機構を作動させるための方法に関する。
2019511647.tif 000002
【特許請求の範囲】
【請求項１】
シリンダ本体（６００）におけるその内部にクラッチ機構（２００）が置かれている第一ローター（３００）、およびその回転によってエキセン（６１０）に運動を伝動する第二ローター（４５０）の間における、クラッチ要素による回転運動の伝動を制御するための、錠のための電子式シリンダのクラッチ作動機構であって、
第一軸（ａ）と同軸である駆動軸（２１１）を作動させ、かつ２方向に回転する、電気モータ（２１０）；
上記駆動軸（２１１）に対して分離不能に取り付けられており、かつカム（２２１）および第一押出手段（２２２）を備えている、第一本体（２２０）；
第一推進手段（２３１）およびブレーキ手段（２３２）を備えており、かつ上記第一本体（２２０）の後に配置されている、上記第一軸（ａ）と同軸な第二本体（２３０）；
上記第二本体（２３０）の後に配置されており、かつ上記クラッチ要素が作用する、上記第一軸（ａ）と同軸な第三本体（２５０）、ここで、当該第三本体（２５０）は、第一ローターおよび第二ローター（３００、４５０）の間に運動が伝えられない、クラッチのつながっていない位置と、第一ローターおよび第二ローター（３００、４５０）の間に運動が伝えられる、クラッチのつながっている位置との間を回転する；
上記第一本体（２２０）の上記カム（２２１）に付随されている突起（２６２）を一端に有している、移動ブレーキ要素（２６０）；
上記第一本体（２２０）の上記カム（２２１）および上記第二本体（２３０）の上記ブレーキ手段（２３２）に対するその位置を制御するための上記ブレーキ要素（２６０）と接している、第一弾性要素（２７０）；ならびに
上記第二本体（２３０）および上記第三本体（２５０）の間において両方に接続されている、第二弾性要素（２４０、２４５）を備えており、かつ
上記第一駆動軸（２１１）の第一方向における回転が、初期位置および最終位置の間における第一本体（２２０）の回転を生じさせ、上記第一本体（２２０）から上記第二本体（２３０）への、および上記第二本体（２３０）から、上記第二本体の回転角度より小さい回転角度を有している上記第三本体（２５０）への回転運動の伝動を生じさせることによって、上記第二弾性要素（２４０、２４５）の弾性負荷を生じさせることを特徴とする、機構。
【請求項２】
上記ブレーキ要素（２６０）および第一弾性要素（２７０）は、上記モーター（２１０）および第一本体（２２０）の間に配置されており、上記駆動軸（２１１）の上記第一回転軸（ａ）と平行な第二軸（ｂ）の周りを軸回転することを特徴とする、請求項１に記載の機構。
【請求項３】
上記カム（２２１）は、上記ブレーキ要素（２６０）の上記突起（２６２）がその内部に配置されている溝であり、上記ブレーキ要素（２６０）の上記突起（２６２）は、上記溝（２２１）の第一表面に向かって第一弾性要素によって押されており、上記ブレーキ要素（２６０）の上記突起（２６２）は、上記第一弾性要素（２７０）および上記溝（２２１）の上記第一表面の間に配置されていることを特徴とする、請求項１または２に記載の機構。
【請求項４】
上記溝（２２１）の上記第一表面は、上記溝（２２１）の２つの端部の一方にそれぞれがある２つの第一部分、および当該２つの第一部分の間に配置されている１つの第二中間部分を備えている経路にしたがうことを特徴とする請求項３に記載の機構。
【請求項５】
上記駆動軸（２１１）が、静止しており、したがって上記第一本体（２２０）に対する上記第二本体（２３０）の運動を制限しており、かつ上記ブレーキ要素（２６０）の固定位置を規定しているとき、
上記溝（２２１）の上記第一部分において、上記第二本体（２３０）の上記ブレーキ手段（２３２）は、上記ブレーキ要素（２６０）の上記突起（２６２）と接触していることを特徴とする、請求項４に記載の機構。
【請求項６】
上記突起（２６２）が上記溝（２２１）の上記中間部分に位置しているとき、上記第本体（２２０）の上記第一押出手段（２２２）が、上記第二本体の上記第一推進手段（２３１）と接しており、かつ上記ブレーキ要素（２６０）が上記第二本体（２３０）を固定していない伝動位置を規定しているので、
上記ブレーキ要素（２６０）の上記突起（２６２）は、上記第二本体（２３０）の上記ブレーキ手段（２３２）と接触しておらずに、上記第一本体（２２０）をともなった上記第二本体（２３０）の運動を可能にしていることを特徴とする、請求項４に記載の機構。
【請求項７】
上記ブレーキ要素（２６０）の上記突起（２６２）は、上記溝（２２１）の上記中間部分に位置しているとき、上記第一弾性要素（２７０）に圧力を加えており、
上記第一弾性要素（２７０）は、上記突起（２６２）を縦に押し、かつ上記突起（２６２）および上記第二本体（２３０）の上記ブレーキ要素（２３２）の間における接触を排除して、上記ブレーキ要素（２６０）の変位位置を規定していることを特徴とする、請求項４に記載の機構。
【請求項８】
上記第一表面は上記溝（２２１）の上面であり、当該上面に対して、上記第一弾性要素（２７０）が上記突起（２６２）を押しつけていることを特徴とする、請求項３に記載の機構。
【請求項９】
上記第二弾性要素（２４５）が、上記第二本体（２３０）の回転を上記第三本体に伝動して、クラッチのつながっていない上記位置からクラッチのつながっている上記位置までの、またはその逆の、上記第三本体における回転を引き起こすように、上記駆動軸（２１１）の後に後者と関係なく、上記第二本体（２３０）および第三本体（２５０）は、上記第一軸（ａ）に対する軸方向に配置されている上記第二の弾性要素（２４５）によって接続されていることを特徴とする請求項１に記載の機構。
【請求項１０】
上記第二弾性要素（２４５）は、上記第二本体（２３０）および第三本体（２４５）が牽引によって接続されていることを維持するねじりバネであることを特徴とする、請求項９に記載の機構。
【請求項１１】
上記第二本体（２３０）は第二押出部（２３３）を備えており、上記第三本体（２５０）は第二推進手段２５１を備えており、それらの相対位置は、それらの間に配置されている上記第二弾性要素（２４０、２４５）によって制御されていることを特徴とする、請求項１に記載の機構。
【請求項１２】
上記第二本体（２３０）の上記第二押出部（２３３）および上記第三本体（２５０）の上記第二推進手段（２５１）は、両方の間に配置されている上記第二弾性要素（２４０、２４５）と接触して、クラッチのつながっていない上記位置からクラッチのつながっている上記位置までの、またはその逆の、上記第二本体（２３０）の回転、上記第三本体（２５０）を引き起こし、かつ上記第二本体（２３０）が上記第三本体（２５０）より回転するときに上記弾性要素（２４０、２４５）にエネルギーを蓄えることを特徴とする、請求項１１に記載の機構。
【請求項１３】
以下のクラッチ要素：
上記第一ローター（３００）において正反対に配列されているハウジングに収納されている、２つの回転する球状の推進要素（５１０）、
上記第三本体（２５０）および回転する推進要素（５１０）の間に配置されている、（５００）の形態における、周方向押出要素、ならびに
上記回転する球状の推進要素（５１０）を収納するための少なくとも２つの正反対にある溝を有している、上記第二ローター（４５０）における内面（４５２）
を少なくとも備えていることを特徴とする、請求項１に記載の機構。
【請求項１４】
請求項１〜１３に記載のクラッチ作動機構に係る、クラッチ作動機構を動作させる方法であって、
上記第一本体（２２０）が、上記初期位置および最終位置の間、またはその逆を回転するとき、上記ブレーキ要素（２６０）の上記突起（２６０）は、以下の位置：
上記突起（２６２）が上記溝（２２１）の第一端部の上記第一部分を通ってスライドさせられているときの、上記ブレーキ要素（２６０）の固定位置、
上記突起（２６２）が上記溝（２２１）の上記第一部分から上記溝（２２１）の上記第二部分までスライドしながら進むときの固定から解放までの、または解放から固定に変化するその逆の、上記ブレーキ要素（２６０）の変位位置、
上記ブレーキ要素が、固定されておらず、上記突起（２６２）が、上記溝（２２１）の上記第二部分を通ってスライドさせられているときの、伝動位置
上記突起（２６２）が上記溝（２２１）の上記第二部分から上記溝（２２１）の上記第一部分までスライドしながら進むときの解放から固定までの、または固定から解放に変化するその逆の、上記ブレーキ要素（２６０）の変位位置、ならびに
上記突起（２６２）が、上記溝（２２１）の上記第二端部の第一部分通ってスライドさせられるときの、上記ブレーキ要素（２６０）の開放位置
を決定している上記カム（２２１）によってたどられる経路を移動することを特徴とする、方法。
【請求項１５】
上記初期位置および最終位置の間、またはその逆における上記第一本体（２２０）の回転の後に、上記クラッチ要素が、上記第三本体（２５０）に作用し、上記第三本体（２５０）の回転を防止しており、上記第二弾性要素（２４０、２４５）の過負荷が、上記第三本体（２５０）に対する上記第二本体（２３０）のさらなる回転によって引き起こされ、上記第三本体（２５０）が、クラッチのつながっていない位置に維持され、上記第二ローター（４５０）を回転不可能にすることを特徴とする、請求項１４に記載の方法。
【請求項１６】
上記クラッチ要素が、上記第三本体に作用することを中止させ、上記第二弾性要素（２４０、２４５）が、上記第二推進手段（２５１）に作用するときに上記第三本体（２５０）の回転を強制する上記第二弾性要素（２４０、２４５）の緩和または無負荷を引き起こし、
上記第三本体（２５０）が、クラッチのつながっている位置に進み、したがって上記第二ローター（４５０）の回転を可能にすることを特徴とする、請求項１５に記載の方法。
【請求項１７】
上記クラッチ要素が、上記第三本体（２５０）に作用していない、上記初期位置および最終位置の間、またはその逆における上記第一本体（２２０）の回転の後に、上記弾性要素（２４０、２４５）が上記第二推進手段（２５１）に作用するときに、上記第三本体（２５０）が回転することを特徴とする、請求項１４に記載の方法。
【発明の詳細な説明】
【技術分野】
【０００１】
本発明は、錠における電子式シリンダのための、低消費のクラッチ作動機構およびそれを動作させる方法、詳細には、シリンダを動作させるバッテリの有効寿命を延長するために低電力消費を有している電子式シリンダと関連する第一ローターおよび第二ローターの間における回転運動を伝動する役割を担っているクラッチ作動機構、ならびに上記方法に関連する複数の段階に関する。上記機構は、モータによって供給されるエネルギーを蓄え、かつクラッチのつながっている位置からクラッチのつながっていない位置まで進むときに当該エネルギーをクラッチに戻し、エネルギー消費を抑える役割を担っているクラッチ動作機構に関する。
【０００２】
本発明は、電子式閉鎖システムの分野、および電子式シリンダの分野におけるこの分野の範囲内に入れられる。
【背景技術】
【０００３】
最新技術において、電子式シリンダおよびメカトロニクスシリンダは、電子キーによって一般的に作動される、電子制御されている閉鎖システムを有していると知られている。当該シリンダの機構は、クラッチ機構を作動させる基本的な役割を有している電気モータおよびバッテリを含んでいる。
【０００４】
現在のクラッチシステムにおける要素のサイズが大きくなるほど、当該要素を移動可能にするために大きなサイズになる電気モータは、電気モータへの給電を担っているバッテリの有効寿命に直接に影響し、したがってシステムのメンテナンスに影響するより大きな電力消費を必要とする。
【０００５】
したがって、本発明の目的は、電気モータによるエネルギー需要を低下させ、したがって、可能な限り長時間にわたって電子式シリンダの有効寿命を延長させるために電気モータを作動させるバッテリの消耗を抑えるために、クラッチ作動機構の要素およびそれらの間における摩擦を可能な限り低減させる一方で、それらの機能を維持することことである。
【０００６】
最新技術において、上記シリンダの上記電気モータによって直接に作動されるクラッチ機構が、知られており、クラッチ要素を移動させる役割を担っている上記モータの駆動軸から分離不能なエンドレススクリューを一般に備えている。上記モータによるこれらのクラッチ要素の直接の移動は、モータのより長い機能時間、およびしたがってバッテリの持続期間に直接に影響するより大きい電力消費を要する。本発明のクラッチ動作機構は、その要素、その配置、および上記モータが上記クラッチ要素を直接に作動させることによって、上記クラッチ機構の同じ回数の駆動サイクルのための、バッテリの５０％のエネルギー節約を実現し得る。
【０００７】
最新技術において、電気モータによって直接に作動される種々のクラッチ機構が、知られており、２つの要素の間に置かれている伝動要素の位置に応じて、両方の要素の間における回転運動の伝動を可能にする。上記伝動要素は、それらの導入、または当該要素の１つに配列されているハウジング、すなわち空洞への導入を可能にするような少なくとも１つの周方向移動を含んでいる。上記伝動要素は、同軸に配列されており、その周方向移動を可能にする弾性要素によって分離されている。例えば、特許出願番号ＤＥ１００６５１５５は、その文献に述べられているような解決策を含んでいるシリンダーのためのクラッチ機構を示している。さらに、特許出願番号ＤＥ１０２００７００４３９はまた、その周方向移動を可能にする弾性手段を有している２つの伝動要素を説明しており、示している。さらに、特許出願番号ＧＢ２２５９７３７は、電気モータによって作動される２つの球の間に置かれている要素の位置に応じて、内面の全体にわたって移動され、かつハウジングに導入されている２つの球を有しているクラッチ機構を説明している。
【０００８】
さらに、上記機構は、その要素およびその配置によって、手動の試行によって実行される電子式シリンダを破るための現在の技術に対する適切な防御を保証し、安全性を向上させる。その縮小されたサイズに関連して、これは、破ることに対するさらなる防御手段が組み込まれることを可能にする。
【発明の概要】
【０００９】
以上の目的のために、本発明は、本発明の第一の目的にしたがって、錠のための電子式シリンダのためのクラッチ作動機構を提供する。当該クラッチ作動機構は、クラッチ作動機構に付随されている第一ローターが回転するとき、およびそれがクラッチにつながれているときに、第一ローターから第二ローターまでの回転運動の伝動が、クラッチ要素との上記クラッチ作動機構の相互作用によって生じさせられるようにシリンダ本体に付随されている、電気モータ、ならびに第一ローターおよび第二ローターの間に置かれているクラッチ要素による回転運動の伝動を制御するための々の要素を備えている。上記クラッチ作動機構がクラッチにつながれている場合に、上記第一ローターの回転は、上記第二ローターに運動を伝えず、したがってエキセンは動作されない。
【００１０】
上記機構において、上記クラッチ作動機構を収納している上記第一ローターは、上記電子式シリンダのノブ（一般にドアに付随されている）に接続されているが、それは、他の装置（例えば、車両および南京錠）、ならびにアクセスが制御されており、かつ電子システム、および電源（電子システムおよび電気モータに給電する）をその内部に組み込んでいる一般的な任意の装置に組み込まれ得る。上記第一ローターは、錠のシリンダにおいて取り付けられており、シリンダを介してその回転によって錠を作動させる第二ローターに対して、上記クラッチ作動機構と相互作用するクラッチ要素によって接続されている。
【００１１】
上述の観点から、電子シリンダは、２つの機構：
ノブによって作動される第一ローターから、錠を作動させるカム（すなわちエキセン）に接続されている第二ローターに回転運動を伝える役割を担っており、かつクラッチ要素を備えている伝動（すなわちクラッチ）機構、ならびに
上記クラッチ機構が、第一ローターおよび第二ローターの間における運動を伝動するとき、または伝動しないときを制御する役割を担っているクラッチ作動機構
によって形成されていると見なされ得る。
【００１２】
したがって、本発明の第一の目的は、請求項１に係るクラッチ作動機構である。
【００１３】
詳細には、シリンダ本体におけるその内部にクラッチ機構が置かれている第一ローター、およびその回転によってエキセンに運動を伝動する第二ローターの間における、クラッチ要素による回転運動の伝動を制御するための、錠のための電子式シリンダのクラッチ作動機構であって、
第一軸（ａ）と同軸である駆動軸を作動させ、かつ２方向に回転する、電気モータ；
上記駆動軸に対して分離不能に取り付けられており、かつカムおよび第一押出手段を備えている、第一本体；
第一推進手段およびブレーキ手段を備えており、かつ上記第一本体の後に配置されている、上記第一軸（ａ）と同軸な第二本体；
上記第二本体の後に配置されており、かつ上記クラッチ要素に作用する、上記第一軸（ａ）と同軸な第三本体、ここで、当該第三本体は、第一ローターおよび第二ローターの間に運動が伝えられない、クラッチのつながっていない位置と、第一ローターおよび第二ローターの間に運動が伝えられる、クラッチのつながっている位置との間を回転する；
上記第一本体の上記カムに付随されている突起を一端に有している、移動ブレーキ要素；
上記第一本体の上記カムおよび上記第二本体の上記ブレーキ手段に対する同じ位置を制御するための上記ブレーキ要素と接している、第一弾性要素；ならびに
上記第二本体および上記第三本体の間において両方に接続されている、第二弾性要素を備えており、かつ
上記第一駆動軸の第一方向における回転が、初期位置および最終位置の間における第一本体の回転を生じさせ、上記第一本体から上記第二本体への、および上記第二本体から、上記第二本体の回転角度より小さい回転角度を有している上記第三本体への回転運動の伝動を生じさせることによって、上記第二弾性要素の弾性負荷を生じさせる、機構。
【００１４】
本発明の第二の目的は、請求項１４に係る、上記クラッチ作動機構を動作させる方法に関する。上記クラッチ作動機構を動作させる方法において、
上記第一本体が、上記初期位置および最終位置の間、またはその逆を回転するとき、上記ブレーキ要素の上記突起は、以下の位置：
上記突起が上記溝の第一端部の上記第一部分を通ってスライドさせられているときの、上記ブレーキ要素の固定位置、
上記突起が上記溝の上記第一部分から上記溝の上記第二部分までスライドしながら進むときの固定から解放までの、または解放から固定に変化するその逆の、上記ブレーキ要素の変位位置、
上記ブレーキ要素が、固定されておらず、上記突起が、上記溝の上記第二部分を通ってスライドさせられているときの、伝動位置
上記突起が上記溝の上記第二部分から上記溝の上記第一部分までスライドしながら進むときの解放から固定までの、または固定から解放に変化するその逆の、上記ブレーキ要素の変位位置、ならびに
上記突起が、上記溝の上記第二端部の第一部分通ってスライドさせられるときの、上記ブレーキ要素の開放位置
を決定している上記カムによってたどられる経路を移動する、方法。
【００１５】
これまでの要素および上述の方法によって、電気モータの駆動軸の第一方向における回転軸上の回転は、２つの位置ＡおよびＢ（初期位置および最終位置）の間における第一本体の回転を生じ、特に、第一方向におけるモータの駆動軸の回転が止まると、第三本体が、
第一ローターおよび第二ローターの間に置かれているクラッチ要素によって、クラッチのつながっていない位置に維持され、第三本体に対するその作用が、第三本体の回転を防止し、第三本体の回転による第二弾性要素の過負荷および第三本体の回転の不可能性を引き起こし、または
以前のクラッチのつながっていない位置からクラッチのつながっている位置まで回転し、第一ローターおよび第二ローターの間に置かれているクラッチ要素が、第三本体に対する作用をやめ、上述のクラッチのつながっている位置に対する第三本体の回転を強制する第二弾性要素の緩和もしくは脱負荷を引き起こし、または
クラッチのつながっていない位置からクラッチのつながっている位置まで直接に回転し、これらの要素が第三本体の回転を防止しないときに第一ローターおよび第二ローターの間に配列されているクラッチ要素による第二ローターの回転を可能にし
得るように、第一本体から第三本体への、種々の要素による、回転運動の伝動を特に生じる。
【００１６】
クラッチ作動機構は、ノブに取り付けられている電子システムを動作させる電子カードによって一般的に、電気モータが始動するとき、あとに、動作に入り、モータが駆動軸を回転（好ましくは１回転未満）させ、ノブが回転し、したがって錠を動作させるか、または動作させないときに第一および第二ローターの間に置かれているクラッチ機構のクラッチ要素の位置に応じて、第二ローターの回転を引き起こす第三本体の回転を引き起こす。
【００１７】
第一本体に配列されている上述のカムは、ブレーキ要素の突起がその内部をスライドする特定の経路にしたがう、上記本体を貫通している溝である。当該突起は、第一弾性要素によって、上記溝の２つの表面（上面および下面）のうちの一方に押し付けられており、上記突起の支持面は、第一表面である。したがって、上記突起は、第一表面および第一弾性要素の間に配列されている。上記第一表面は、第一弾性要素が、その突起の下部において当該突起を押している場合に上面であるか、第一弾性要素その上部において上記突起を押している場合に下面である。さらに、上記第一表面は、上記第一本体が、ブレーキ要素が、上記モータの駆動軸の回転軸に平行な第二軸に対して軸回転するときに上記突起が経路に応じて上がるか、または下がるように回転するときに、上記突起がスライドする経路にしたがう必要がある。上記第一弾性要素は、第二軸について軸回転するねじるバネであり、上記第一表面に対して上記突起を押し付ける役割を担っている第一アーム、および弾性要素が弾性的に負荷を受けている状態を維持しており、当該第一アームとある角度をなしている、他の表面に支持されている第二アームを備えている。
【００１８】
上述の溝すなわちカムの第一表面は、少なくとも３つの部分（カムすなわち溝の複数の端部に置かれている２つの第一部分、および２つの第一部分の間に置かれている１つの第二中間部分）を有している経路にしたがっている。上記経路は、異なる形態を有し得、一部分における上記突起が、上記駆動軸の上記軸に対して上記中間部分と異なる高さに置かれることを可能にする。
【００１９】
上記異なる位置は、本発明にしたがって以下により詳細に説明される。駆動軸およびしたがって第一本体がその回転軸について回転しているときに、上記突起が上記カムに配置されている位置に応じて、第一本体に対して、第二本体は、以下の位置を有し得る。
固定位置：駆動軸が、静止しているか、またはその回転を始めていると同時に、上記突起が、上記カムの２つの第一部分のいずれかに対して押し付けられているとき、上記カムを貫通している上記突起は、上記第二本体のブレーキ手段と接している。上記ブレーキ手段は、好ましくは、上記地に本体の表面における突出またはノッチである。上記突起が所定の高さに配置されているとき、それが、上記ブレーキ手段と相互作用し、したがって、上記第一本体に対する上記第二本体の運動を制限し、上記ブレーキ要素および第二本体の上記固定位置を規定している。
変位位置：上記駆動軸が回転すると、上記突起は、上記カムすなわち溝の上記第一部分および第二中間部分の間における経路の変化に直面し、したがって、高さを変え、上記弾性要素に対して上記突起を押し付け、このようにして、上記第二部分の上記突起および上記ブレーキ要素の間における接触をなくし、かつ上記第一部分および中間部分の間に存在する変位位置を規定する。
伝動位置：上記駆動軸の回転が続いているとき、上記突起は、上記カムの上記第一表面から、進行の後に上記カムの第一部分を離れたあと、上記第二中間部分の経路にしたがうことを継続する。この第二中間部分において、上記突起は、上記第二本体の上記ブレーキ要素と接触していないが、上記第一本体の押出手段は、その回転中に、上記駆動軸から分離不可能な上記第一本体の回転が、上記第二本体の回転を引き起こすように、上記第二本体の上記推進手段と接触している。このようにして、上記第二本体に対する上記第一本体んお回転運動は、上記ブレーキ要素が、上記第二本体を固定していない場合に規定されている。上記押出手段および推進手段は、一方の本体または他方の本体に配列されている突起またはくぼみであり得るが、他の手段を押出し、推進させることを可能にする常に相補的な手段である。
【００２０】
したがって、駆動軸および当該駆動軸から分離不能な第一本体の回転の間に、当該駆動軸の２つの回転方向のいずれかにおいて、上記第一および第二本体の間における、上記方法の上述した連続する位置：
上記ブレーキ要素の固定位置、
上記ブレーキ要素の変位位置、
上記ブレーキ要素が固定されてない伝動位置、
上記ブレーキ要素の変位位置、および
上記ブレーキ要素の固定位置
は、上記突起が上記カムの上記第一表面を覆っているときに生成される。
【００２１】
上述した連続する位置にしたがって、上記カムの第一端部における第一部分および第二部分の間にある変位領域を通ったあと、または上記カムの第二弾分における上記第一部分に向かって上記第二部分を通ったあとに上記突起が、上記カムの複数の端部のいずれか、またはその近傍にあるとき、上記第二本体は、上記第一本体に対する固定位置にある。
【００２２】
上記第一本体が回転するときに、運動が、上記第一本体から第二本体にどのように移されるかが、規定されると、上記回転運動が、上記第二本体から上記第三本体（これは、上記第二本体より小さい回転角度を有しており、上記第二弾性要素の弾性負荷を引き起こす）にどのように移されるかが、説明されるべきである。この目的のために、少なくとも２つの好ましい選択肢がある。
第一代案において、上記第二本体および第三本体は、上記第二弾性要素が、上記第二本体の回転を上記第三本体に伝えるように上記駆動軸の回転軸に対して軸方向に配列されている上記第二弾性要素によって連結されており、上記第一および第二ローターの間に配列されている上記クラッチ要素がそれを可能にするときにクラッチのつながっていない第一位置からクラッチのつながっている第二位置までの回転を生じさせる。上記第二弾性要素は、好ましくは、上記第一および第二本体が牽引力によって連結されていることを維持するねじりバネである。上記ねじりバネは、上記第二本体、および上記第三本体に置かれている推進手段に配列されている押出手段と協働して作用する。
第二代案において、上記第二本体は第二押出手段を備えており、上記第三本体は第二推進手段を備えており、好ましくは、両本体の表面上に、一方の全体にわたって、他方の軸方向に配列されているくぼみおよび突起であり、第二弾性要素は、両本体の間に配列されている。この代案において、上記第二弾性要素は、上記モータの駆動軸の回転軸に対して軸回転するねじりバネである。当該ねじりバネは、上記第二本体の上記第二押出手段の側に支持されている第一端部（すなわちアーム）、および上記第三本体の上記第二推進手段の側に支持されており、かつ上記第一アーム（すなわち端部）とわずかに角度をなしている第二アーム、または上記クラッチ要素に応じてその逆を備えている。上記第二弾性要素は弾性的に負荷を受けている。上記第三本体は、上記第二本体に対して、したがって、クラッチのつながっている、およびクラッチのつながっていない位置の間を回転し、すなわち、上記第三本体に対して第二本体を、上記第一および第二ローターの間における上記クラッチ要素がそれを可能にするか否かに応じて、回転させる。
【００２３】
以上の２つの代案のいずれにおいても、上記第一および第二ローターの間における上記クラッチ要素が、上記第三本体に作用しており、上記第二本体が回転しているときにさえその回転を防止している場合、より大きな回転角において上記第三本体に対する上記第二本体の回転は、上記クラッチ要素が上記第三本体への作用をやめるとき、それが、クラッチのつながっていない第一位置からクラッチのつながっている第二位置まで回転するように、両本体の間に置かれている上記第二弾性要素に弾性的に負荷を加えさせる。複数のローターの間における上記クラッチ要素が、上記第三本体の回転を防止しない場合、それは、クラッチのつながっていない位置からクラッチのつながっている位置まで直ちに進む。
【００２４】
上記第三本体は、上記シリンダの筐体（すなわち第一ローター）および第三本体に配列されている複数の停止部によって制限されている２つの位置（好ましくは約９０°の最大回転を可能にし、上記第三本体の当該最大回転は、上記第二本体の回転が上記第三本体の回転より大きいとき上記第二弾性要素に弾性的に負荷する上記第二本体の最大回転未満である）の間を回転する。すなわち、上記第二本体の回転角は、上記第三本体の回転角より大きい。
【００２５】
上記第三本体はまた、上記クラッチ機構の上記クラッチ要素と相互作用することを目的とする突起を備えている。
【００２６】
上記クラッチ要素は、上記クラッチ作動機構、および錠と相互作用し、上記モータの運動によって始動され、停止させられる上記シリンダのエキセンの間に配列されている。上記ノブの回転は、上記第一ローターの回転を引き起こし、当該第一ローターは、上記クラッチ作動機構をその内部に備えており、上述のクラッチ要素を介して、上記第一および第二ローターの間に置かれており、上記錠と相互作用する上記エキセンに運動を伝える上記第二ローターに回転運動を伝える。
【００２７】
述べられている通りに、上記クラッチ要素は、第一ローターから第二ローターまで回転運動を伝えるための手段を備えている。そのようなクラッチ要素は、好ましくは、周方向押出要素によって周方向に移動させられる容積を有している回転する推進要素であり、回転する推進要素は、上記周方向押出要素および第二ローターの間に置かれている。第一ローターの回転はまた、上記回転する推進要素が、それらが収納されている上記第二ローターの表面にしたがうように、上記第二ローターに対して押し付けられている上記回転する推進要素に対して作用する上記押出要素の回転を引き起こす。上記クラッチ要素および上記クラッチ作動機構の上記第三本体に対するその接続に応じて、運動は、上記第一ローターから第二ローター（したがって上記錠と相互作用する上記エキセン）まで伝えられるか、または伝えられない。
【００２８】
したがって、上記アセンブリは、上記回転する推進要素の運動が不可能なときに、クラッチのつながっている状態にあり、トルクは、上記クラッチ作動機構の協働によって上記第一ローターから上記第二ローターまで伝えられ、上記アセンブリは、上記回転する推進要素の運動が可能なときに、クラッチのつながっている状態にあり、両ローターのトルクの伝達は、防止される。
【００２９】
一方のローターから他方へのトルクの伝動を可能にする、上記クラッチ作動機構と相互作用する異なるクラッチ機構は、上記第三本体が、上記押出要素と同様に上記クラッチ機構の上記回転する推進要素に作用する必要のあることを考慮に入れて、設計され得る。
【００３０】
本書において、その要素のなかでも、上記押出要素としての、あらかじめ負荷されている板バネ（すなわち型打ちされたバネ）、上記回転する推進要素としての、２つの球を備えている好ましいクラッチ機構が、説明されている。上記球は、上記第二ローターの内面を通る明確な経路にしたがうように上記板バネのアームの端部によって周方向に押されている。上記クラッチ作動機構の上記第三本体は、上記板バネのアームの両方の端部の間に、その２つの位置の間において移動される可能性を有して置かれている。
【００３１】
一般的に、異なるクラッチ要素の間には、３つの位置：
トルクが両ローターの間に伝えられない、クラッチのつながっていない位置、
トルクが両ローターの間に伝えられる、クラッチのつながっている位置、および
トルクが両ローターの間に伝えられないが、上記第一ローターが回転させられる場合に伝動が実現される、変位位置
がある。
【００３２】
本発明の上述および他の利点および特徴は、非限定的かつ具体的な態様とみなされるべき添付の図面を参照した、例示的な実施形態の以下の詳細な説明からより十分に理解される。
【図面の簡単な説明】
【００３３】
【図１】クラッチ機構およびクラッチ作動機構、ならびにノブおよびシリンダの分解斜視図を示している。
【図２Ａ】クラッチ作動機構をその内部に有している第一ローターの筐体の半分のを示している。
【図２Ｂ】図２Ａに示されている本発明の目的のクラッチ作動機構の分解斜視図を示している。
【図３】本発明の第一本体におけるカムの例示的な第一の実施形態を図示している。
【図４】本発明の第一本体におけるカムの例示的な第二の実施形態を図示している。
【図５】図４のカムの詳細を図示している。
【図６】ブレーキ要素の突起が、第一本体のカムに置かれている一連の位置Ａ〜Ｇを示している。
【図７】第二本体に対するブレーキ要素の、図６Ａ、６Ｃおよび６Ｄに対応する３つの予想の位置Ａ〜Ｃを示している。
【図８】第一本体および第二本体に対するブレーキ要素の位置にしたがった上記機構の構成要素の２つの位置Ａ、Ｂ（図６Ｅおよび６Ｇに対応する）の、第一本体の側面からの斜視図を示している。
【図９】第一本体および第二本体に対するブレーキ要素の位置にしたがった上記機構の構成要素の２つの位置Ａ、Ｂ（図６Ｅおよび６Ｇに対応する）の、第三本体からの斜視図を示している。
【図１０】第一本体および第三本体の間における接続の例示的な第一の実施形態の斜視図を示している。
【図１１】前の図の分解図を示している。
【図１２】第二本体および第三本体の間における接続の例示的な第二の実施形態の斜視図を示している。
【図１３】前の図の分解図を示している。
【図１４】図１２の要素の断面を示している。
【図１５】第二弾性要素および第二本体の間における連結の詳細を示している。
【図１６】第二弾性要素および第三本体の間における連結の詳細を示している。
【図１７】クラッチ作動機構の筐体の一部にある第三本体、およびその回転の間における移動を制限する停止物を示している。
【図１８】第二ローターに連結されているクラッチ作動機構の筐体の、部分断面の斜視図を示している。
【図１９】前の図の分解図を示している。
【図２０】ノブ、クラッチ機構、クラッチ作動機構およびシリンダによって形成されているアセンブリの、システムにおいてクラッチがつながっていないときの、部分断面の斜視図を示している。
【図２１】クラッチ要素をクラッチのつながっていない位置において観察したときの、図２０に示されている断面を示している。
【図２２】ノブ、クラッチ機構、クラッチ作動機構およびシリンダによって形成されているアセンブリの、システムにおいてクラッチがつながっているときの、部分断面の斜視図を示している。
【図２３】クラッチ要素をクラッチのつながっている位置において観察したときの、図２２に示されている断面を示している。
【図２４】第一ローターおよび第二ローターの間における伝動の間に、クラッチのつながっている位置において、クラッチ要素を観察したシリンダの断面を示している。
【図２５】クラッチのつながっていない一時的な位置においてクラッチ要素を観察したシリンダの断面を示している。
【発明を実施するための形態】
【００３４】
本発明は、添付の図面にしたがい、それらを参照して以下に説明される。
【００３５】
図１は、本発明の目的のクラッチ作動機構２００がその一部である一般的なアセンブリを示している。クラッチ作動機構２００は、筐体、すなわち第一ローター３００に置かれており、第一ローター３００は、一端においてノブ１００から分離不可能であり、ノブ１００に及ぼされたトルクが、クラッチ作動機構２００の、クラッチ機構をともなった協調動作によって第一ローター３００から第二ローター４５０まで伝動されるように、反対の端において第二ローターに付随されている。第二ローター４５０の回転は、固定状態において相互に作用する、当該ローターと分離不可能なエキセン６１０に運動を伝える。
【００３６】
第一ローター（すなわち筐体）３００に置かれている、図２Ａに示されているクラッチ作動機構２００は、第三本体３００を電気モータ２１０に基づいて回転させる役割を担っている。上記機構は、電気エネルギーを回転運動に変換する役割を担っている電気モータ２１０、第一本体２２０、第二本体２３０、ブレーキ要素２６０、第一弾性要素２７０、好ましくはブレーキ要素２６０に作用するねじりバネ、第三本体２５０、ならびに好ましくは、緩衝バネとして作用する他のねじりバネであり、かつ第二２３０および第三本体２５０の間に置かれている第二弾性要素２４０、２４５によって形成されている。電気モータ２１０が第一本体２２０から第三本体２５０の回転を引き起こすために始動されると、それは、第二本体２３０に、および後者から上記第三本体に第二弾性要素２４０、２４５によって、その運動を伝える。上記クラッチ機構の位置に応じて、第三本体２５０は、そのクラッチのつながっている位置に進むことができるために、十分に回転できるか、または回転できない。
【００３７】
好ましい実施形態において、図２Ｂを参照すると、第一本体２２０および第二本体２３０は、以下に記載されているように互いに作用するか、または上記機構の他の要素と作用するための突起および／またはくぼみをその表面に有している、ディスクである。円形が実際上の理由（主に省スペース）のために最適であるが、上記複数の本体の形状は、円形であることに限定されない。例えば、第一本体２２０は、第二本体２３０と反対にあるその表面に、突起（すなわち隆起）２２２（押出手段２２２の態様においてくぼみであり得る）を有しており、第一本体２２０の先の表面と反対にある、第二本体２３０の表面は、くぼみ２３１（推進手段２３１の態様において突起または隆起であり得る）を有している。押出２２２および推進２３１手段のタスクは、第一本体２２０が回転しているとき、第一本体２２０は、推し進められている第二本体を押出しながら、第二本体２３０の回転を生じさせることを可能にすることである。
【００３８】
第一本体２２０は、上記電気モータが動作しているときに駆動軸が一方または他方に回転し、駆動軸２１１と同軸の回転軸「ａ」に対して第一本体２２２も回転させるようにバッテリ（図示せず）によって給電されている上記電気モータの駆動軸２１１と分離不能である。第一本体２２０は、その表面を貫通している溝によって形成されているカム２１１を有している。
【００３９】
移動可能なブレーキ要素２６０および第一弾性要素（すなわちブレーキバネ）２７０は、モータ２１０および第一本体２２０の間において、第一軸（すなわち駆動軸２１１の回転軸「ａ」）に平行な第二軸「ｂ」の周囲に配列されている。移動可能なブレーキよそ２６０は、アームによって好ましく形成されており、当該アームは、その端部の一方に、突起２６２（好ましくは当該アームに直交している）を有しており、他方の端部に、第二軸「ｂ」に対して支持されること、および回転することを可能にする手段を有している。第一弾性要素２７０は、好ましくは、配置に応じて突起２６２を上方もしくは下方に押出させる役割を担っているアーム（すなわち端部）２７１、または弾性要素２７０が弾性的な負荷を維持するためにシステムの固定されている他の表面に支持されている、第一アームに対して角度をなして置かれている第二アーム（すなわち端部）２７２を備えているように、第二軸「ｂ」に対して軸回転するねじりバネである。
【００４０】
ブレーキ要素２６０の突起２６２は、第一本体２２０のカム２２１に付随されている。好ましくは、カム２２１は、第一本体２２０を貫通しており、当該カムの２つの表面の一方（上面または下面）の全体を通ってスライドされ、突起２６２は、スライド表面に対してバネ２７０によって押し付けられている。複数の図面において、突起２６２が、第一バネ２７０、およびそれがスライドするカム２２１の上面の間に、どのように置かれているかが、認められる。突起２６２がスライドするカム２２１の表面は、突起２６２を移動させる目的を有している特定の経路を有している。カム２２１における突起２６２の位置に応じて、上記突起は、第一本体２２０と反対にある第二本体２３０の表面に置かれているブレーキ手段２３２と、接触するか、または接触しない。ブレーキ手段２３２は、上記表面にある突起または隆起２３２によって表されているが、ブレーキ手段２３２は、上記表面におけるくぼみであり得る。
【００４１】
第二本体２３０の後に、第三本体２５０が、第二本体２３０と同様に、駆動軸２１１の回転軸「ａ」の周囲に配列され置かれる。第二弾性体２４０、２４５は第二２３０および第三２５０本体の間に配列されている。第三本体２５０は、好ましくは、シリンダの両側面に反対向きの２つの隆起を有している円筒形の構成を有している。第三本体２５０は、第一位置において、上記機構がクラッチのつながっていない状態にあり、すなわち第一ローター３００および第二ローター４５０の間において運動が伝えられず、第二位置において、上記機構がクラッチのつながっている状態にあり、すなわち第一ローター３００および第二ローター４５０の間において運動が伝えらるように、２つの最大位置の間を回転できる。上記位置（第一および第二）は、第三本体２５０の突起２５３が停止部３１０に直面するとき、第一ローター３００に置かれている運動停止部３１０によって規定されている。上記クラッチ機構の上記クラッチ要素は、それの位置に応じて、第一および第二のクラッチのつながっている、およびクラッチのつながっていない位置の間における上記第三本体の回転を防止し、クラッチのつながっていない、またはクラッチのつながっている位置にそれを維持し得る。
【００４２】
第二弾性要素２４０、２４５は、第一本体２２０によって押される第二本体によって実行される回転にかかわりなく、第三本体２５０を第二本体２３０に、またはその逆に、常に揃えやすくすることを可能にする。第二弾性要素２４０、２４５は、上記クラッチ要素が、第二本体２３０をともなった第三本体２５０、またはその逆の回転を防止するときに、弾性的に負荷をかけており、上記クラッチ要素が第三本体２５０に対する作用をやめているときに、負荷をかけていない。
【００４３】
図１１に示されている１つの代案において、第二弾性要素２４０は、第二本体２３０および第三本体の間に置かれているねじりバネ２４０である。ねじりバネ２４０モータ２１０の駆動軸２１１の回転軸「ａ」に対して軸回転し、第一端部もしくはアーム２４１および第二端部もしくはアーム２４２を備えている。第二端部もしくはアーム２４２は、両本体２３０、２５０の支持隆起２３３、２５１が離されているとき、第二バネ２４０が弾性的に負荷をかけるように、第一アームまたは端部２４１に対してわずかに角度をなしており、支持突起または隆起２５１を介して支持されている。上記隆起は、異なる高さにおいて互いに周方向に置かれている第二本体２３０における第二押出手段２３３および第三本体２５０における第二推進手段２５１と同等である。第三本体２５０は、上記クラッチ要素が第一３００および第二４００ローターの間の上記クラッチ要素がそれを可能にするか否かに応じて第二本体２３０に対して、したがって、クラッチのつながっている、およびクラッチのつながっていない位置の間において回転する。
【００４４】
図１２〜１６に示されている他の代案において、第二弾性要素２４５は、それのねじれ、および第二本体２３０に対する第三本体２５０の回転を可能にすることに加えて、両本体が連結されている状態を維持するために両本体の間に牽引力を及ぼすねじりバネである。第二バネ２４５は、それらが駆動軸２１１の回転軸「ａ」の方向に置かれているとき、両本体を連結しており、第三本体２５０および第二本体２３０に対するその回転軸を通っており。バネ２４５の複数の端部２４６、２４７は、本体２５０、２３０にそれぞれ連結されている。このようにして、第二弾性要素２４５は、第二本体２３０の回転を第三本体２５０に伝え、第一３００および第二４５０ローターの間における上記クラッチ要素がそれを可能にするとき、クラッチのつながっていない第一位置からクラッチのつながっている第二位置までの、第三本体２５０における回転を生じさせる。
【００４５】
図３および４において、第一本体２２０が回転するときにブレーキ要素２６０の突起２６２が支持されているか、またはスライドされる表面にカム２２１を有している経路２２１’、２２１の２つの代替物が、認められる。
【００４６】
図５に示す通り、カム２２１がしたがい得る上記代替的な表面のそれぞれは、少なくとも３つの部分を有している経路を有している。２つの第一部分２２１ａは、カム２２１１の複数の端部に置かれており、第二中間部分２２１ｂは、２つの第一部分２２１ａの間に置かれている。上記経路は、第一部分２２１ａにおいて突起２６２が、中間部分２２１ｂにおいてより、駆動軸２２１の軸「ａ」に対して異なる高さまたは同じ高さに置かれることを可能にする形状を有し得る。
【００４７】
図６のＡ〜Ｇの順に、モータ２１０の反対にあり、かつ２つの端部位置の間を回転する第一本体２２０の前部から、クラッチ作動機構２００の異なる複数の要素（主に第一本体２２０およびその要素、第二本体２３０およびその要素、ブレーキ要素および突起２６２、ならびに第一弾性要素２７０）の位置が、認められる。
【００４８】
さらに、図７Ａ〜７Ｃは、第一本体２２０の後部からの、第二本体２３０に対するブレーキ要素２６２の３つの予想される位置（図６Ａ、６Ｃおよび６Ｄに対応している）を示している。図８ＡおよびＢは、図６Ｅおよび６Ｇに対応する第一２２０および第二２３０本体に対するブレーキ要素２６２の位置にしたがう、上記機構の複数の上記要素の２つの位置Ａ、Ｂを、第一本体２２０の前部からの斜視図において示している。図９Ａおよび９Ｂは、図６Ｅおよび６Ｇに対応する上記機構の複数の上記要素の２つの位置Ａ、Ｂを、第三本体２５０からの斜視図において示している。
【００４９】
上記図面に基づいて、突起２６２が、第二本体２３０の特定の位置に応じてブレーキ要素２３２と相互作用するか、またはしないので、カム２２１におけるブレーキ要素２６０の突起２６２の位置に応じて第二本体２３０が、どのように第一２２０に対して回転するか、または回転しないかが、認められる。したがって、カム２２１の上記経路を通る突起２６２の特定の位置に応じて、第二本体２３０は、駆動軸２１１と同時に回転するとき、第一本体２２０に対して異なる位置を取る。
【００５０】
駆動軸２１１が静止しているとき、または当該駆動軸が回転し始め、かつ突起２６２が、駆動軸２１１が一方向または他の方向に回転するか否かに応じて、２つの第一部分２２１ａのいずれかに対して押されるとき、第二本体２３０は、第一本体２２０に対する固定位置から離れ、カム２２１を貫通する突起２６２は、第二本体２３０のブレーキ要素２３２と接触しており、この第二本体２３０の回転を防止する。ブレーキ要素２３２は、好ましくは、突起２６２が、第一部分２２１ａによって決定される高さにあるとき、それが、ブレーキ要素２３２と相互作用し、しががって、第一本体２２０に対する第二本体２３０の運動を防止するように、第二本体２３０の表面にある隆起またはノッチである。
【００５１】
駆動軸２１１の回転が続いているときに、突起２６２が、カム２２１の第一部分２２１ａを離れ始めると、突起２６２は、カム２２１の第一部分２２１ａおよび第二中間部分２２１ｂの間における経路の変化に直面し、したがって、高さを変化させ、第一バネ２７０に突起２６２を押し進めるか、または押し付ける。突起２６２の高さまたはレベルが、ブレーキ手段２３２に対して変化するとき、２つの間に接触はなく、したがって、第二本体２３０は自由であり、したがって、第一部分２２１ａおよび中間部分２２１ｂの間にある変位位置、またはその逆が確立されている。
【００５２】
駆動軸２１１の回転が続いているとき、上記突起は、カム２２１の第二部分２２１ｂの全体をその経路にしがたってスライドし始める。この第二部分２２１ｂの間に、突起２６２は、第二本体２３０と相互作用しないが、第一本体２２０の押出手段２２２は、第一本体２２０の回転が、第二本体２３０に伝えられるように、第二本体２３０の推進手段２３１と、その回転において接触している。したがって、回転運動が第一本体２２０から第二本体２３０まで伝えられ、かつブレーキ要素が第二本体２３０を固定していない、伝動位置は規定されている。
【００５３】
図３において、カム２２１’は、上記第一部分のみが経路の複数の端部に等しく、上記第二部分が、両端の間にある経路に等しい経路によって、描写されており、おり、図４および５において、第一部分２２１ａが、図３のそれよりどれだけ長いかが認められる。これは、第一本体２２０に対する第二本体２３０のブレーキ位置の持続時間を決定する。
【００５４】
駆動軸２１１およびしたがって第一本体２２０が、カム２２１の長さ全体を移動するように、一方向に回転するときの、カム２２１における突起２６２の異なる位置は、図６Ａ〜Ｇを参照して以下に詳述されている。これらの図において、第一本体２２０の回転方向は、矢印によって示されている。
【００５５】
まず、位置６Ａにおいて、第一本体２２０は、初期位置にあり、ブレーキ要素２６０の突起２６２は、カム２２１の右の縦面に接している。続く位置において、第一本体２２０は、位置６Ｂに対して数度回転し、したがってカム２２１の第一部分２２１ａを移動し、第二本体２３０は固定位置にある。それまでの位置から、第一バネ２７０を圧縮し始める前に、第一本体２２０は、突起２６２が下がるときに第一バネ２７０が圧縮される位置６Ｃに対して回転し、突起２６２が、カム２２１の第一部分２２１ａから第二部分２２１ｂまで、変位位置において進行するように、カム２２１の面全体を通ってスライドする。上記第三位置から、第一本体２２０が、第四位置、位置Ｄまで回転し、突起２６２が、第一本体２２０から第二本体２３０までの回転運動の伝動位置において、カム２２１の表面の第二部分２２１ｂを通ってスライドする。それから、第四位置６Ｄから、第一本体２２０が、第一バネ２７０が圧縮され、かつ突起２６２が、ふたたび変位位置を通過し、順序の最初にある同じ周方向の高さまで上昇する第五位置６Ｅまでさらに数度回転する。最後に、第一本体２２０は、同じ方向におけるその最後の回転を起こし、位置６Ｆ、突起２６２がカム２２１の端部に衝突し、第一本体２２０の回転運動を停止させる。
【００５６】
最終位置に達すると、モータ２１０は、停止するが、突起２６２は、カム２２１の端部に逆らって、維持されないが、第二弾性要素２４０、２４５の作用によって、第二本体２３０は、後方に押され、したがって、第二本体２３０のブレーキ手段２３２と接触し、かつ位置６Ｇに達するまで、突起２６２を後方に移動させ、かつ後方に押し、第二本体２３０に対してブレーキ要素２６０を固定する（すなわち上記クラッチ作動アセンブリ２００をブレーキ状態に維持する）。
【００５７】
ブレーキ要素２６０の突起２６２が、一方向および反対方向においてカム２２１に沿って移動されるとき、上記システムは、両方向において対称である。このようにして、モーｔ２１０が再始動させられるとき、モータ軸２１０は、これまで説明されている方向と反対方向において回転し、これまで説明されている方向と反対方向における回転を生じ、これまでの運動および位置が再現される。
【００５８】
第一本体２２０、およびブレーキ要素２６０の突起２６２の運動のすべての段階は第二本体２３０のブレーキ手段２３２に作用するブレーキ要素２６０の作動させ、停止させる目的を有している。ブレーキ要素２６０を停止させることに加えて、第一本体２２０は、第二本体２３０を駆動させる役割を担っている。これまでに説明されている通り、第一本体２２０は、位置６Ｂおよび６Ｃの間において、位置６Ｂまで自由に回転し、第一バネ２７０を圧縮し、突起２６２をカム２２１に沿って下げさせる。この位置６Ｃから、ブレーキ要素２６０が停止されると、第一本体２２０は、第二本体２３０において推進手段２３１と接している押出手段２２２によって第二本体２３０を推進させ始める。第一本体２２０が第二本体２３０を推進させ始めると、第一本体２２０が事前に回転を始めており、かつ第二本体２３０が第一本体２２０によって推進させれるので、第一本体２２０が第二本体２３０より回転している位置６Ｆに達するまで、２つは同時に運動する。
【００５９】
このようにして、第二本体２３０は、第一本体が２２０位置６Ｃまで最初の数度をそれまでに回転させられる（しがたって、突起２６２が第二本体２３０のブレーキ手段２３２に接触して止まるときにブレーキ要素２３２を停止させる）まで回転できない。このブレーキ要素２６０は、駆動軸２１１および第一本体２２０の回転方向に応じて、進展および後退の両方に作用する。
【００６０】
同様に、図７において、図６の順序Ａ〜Ｇに対応する順序Ａ〜Ｇに、ブレーキ要素２６０および続いて突起２６２が、回転軸「ａ」に対して第一本体２２０の回転に応じてどのように上昇し、かつ下がるかが、認められる。
【００６１】
図８および９において、図６の順序Ａ〜Ｇと異なる順序Ａ〜Ｇに、異なる視点から、上記クラッチ作動機構２００の異なる要素が、第一本体２２０の回転の間にその異なる位置において認められる。
【００６２】
特に、図７および８に基づいて、ブレーキ要素２６０およびその突起２６２が下がるまで、第二本体２３０が回転できないことが確認され得る。
【００６３】
ブレーキ要素２６０は、以下に詳述されているように、上記機構が、モータ２１０および第一本体２２０が初期位置に戻るまで所定の環境において、モータ２１０によって出されるエネルギーを第二バネ２４０、２４５に蓄積させることを、可能にする。
【００６４】
最後に、モータ２１０および第一本体２２０によって実行される回転運動は、説明されている通り、上記クラッチ作動機構２００の異なる要素によって、第三本体２５０に伝えられる。この運動は、第二２３０および第三２５０本体、ならびに使用される第二バネ２４０、２４５の種類の間の関係にしたがった異なる方法において、第二バネ２４０、２４５によって、説明されている通りに、第二本体２３０から第三本体２５０に伝えられる。
【００６５】
第三本体２５０は、クラッチのつながっていないその位置（すなわち位置Ａ）から、クラッチのつながっている位置（すなわち位置Ｂ）までの、好ましくは９０°の回転を実行する。当該回転は、第二本体２３０によって第三本体２５０に伝えられ、両方の位置は、第三本体２５０が回転するときに第三本体２５０に配列されている突起２５３が衝突する筐体（すなわちローター３００）に配列されている停止部３１０によって制限されている。同様に、上述の２つの位置の間における第三本体の回転は、第一ローター３００および第二ローター４５０の間に置かれている上記クラッチ機構の上記クラッチ要素によって妨げられ得る。
【００６６】
第三本体２５０がクラッチのつながっていない位置からクラッチのつながっている位置まで進むとき、第三本体２５０の突起２５３は、クラッチのつながっている第一ローター３００の運動停止部３１０に衝突し、第三本体２５０の回転の継続を防止する。同じことが、第三本体２５０がクラッチのつながっていない位置からに戻るときに生じ、クラッチのつながっている位置からの、クラッチのつながっていない第一ローター３００の移動停止部３１０に、衝突する。
【００６７】
以上に基づいて、上記回転が第一軸「ａ」に対する駆動軸２１１の第一方向において止まるとき、および第二本体２３０によって第三本体２５０に対する回転を生じ、かつ伝えるその２つの末端位置の間における第一本体２２０の回転の後に、異なる状態が生じ得る：
上記機構は、第一ローター３００および第二ローター４５０の間に配列されており、第三本体２５０に作用する上記クラッチ要素の動作によって、クラッチのつながっていない位置に維持され得、第二本体２３０の回転による第二弾性要素２４０、２４５の過負荷、および第三本体２３０の回転不能を引き起こす、その２つの位置の間におけるその完全な回転を防止する。
第一ローター３００および第二ローター４５０の間に配列されている上記クラッチ要素が止まって、第三本体２５０に作用し、第二本体２３０と並べられるために第三本体２５０を回転させる第二弾性要素２４０、２４５の緩和または脱負荷を生じさせるので、上記機構は、第三本体２５０が以前のクラッチのつながっていない位置からクラッチのつながっている位置まで回転するとき、クラッチのつながっている位置まで進む。
上記機構は、第三本体２５０が回転するときクラッチのつながっていない位置からクラッチのつながっている位置まで直ちに進み、これらの要素が第三本体２５０の回転を防止しないときに、第一ローター３００および第二ローター４５０の間に配列されている上記クラッチ要素による第二ローター４５０の回転を可能にする。
【００６８】
同様に、第一軸「ａ」に対する、以前の回転とは逆の、駆動軸２１１の第二方向における回転は、その２つの端部位置からの第一本体２２０の反対の回転を生じさせる。
【００６９】
したがって、電気モータ２１０から第三本体２５０までの回転運動の伝動が、どのように実行されるが詳細に説明されると、上記２つの機構（クラッチ作動機構２００および上記クラッチ機構）によって形成されている第三本体２５０および上記電子式シリンダの間に、ノブの位置に応じて生じる異なる状況を明らかにする必要がある。すなわち、本発明の対象であるクラッチ作動機構をその内部に備えている第一ローター（すなわち筐体）３００は、クラッチ作動機構２００の外部にある要素と、第三本体２５０によって相互作用する。特に、シリンダ６００のエキセン６１０ならびに異なる伝動要素を有している第一３００および第二４５０ローターの間に配列されている伝動機構の例示的な第一の実施形態に対して、その回転によって運動を伝えるローター４５０が、認められる。
【００７０】
図１８および１９は、クラッチ作動機構２００を有している第一ローター（すなわち筐体）３００および第二ローター４５０、ならびに上記クラッチ機構を形成している上記クラッチ要素の斜視図において、アセンブリを示している。詳細には、上記クラッチ要素は、好ましくは
周方向押出し要素、好ましくは、モータ２１０のそれぞれの側に置かれている、モータ２１０の一端から第三本体２５０まで伸びている２つの平行なアーム５０３（末端が、空間５０２によって隔てられている２つのアーム５０１を有しているフォークになっている）を備えている板バネまたは型打ちされたバネ５００
少なくとも２つの正反対の溝４５１を備えている内部の円筒表面４５２、ならびに
板バネ５００によって周方向に押されて動かされる容積を有している、正反対の回転する推進要素、好ましくは、複数の球５１０
である。複数の球５１０は、第一ローター３００に置かれている正反対のハウジング３２０に収納されており、かつ板バネ５００のアーム５００および第二ローター４５０の内表面４５２の間に置かれている。これらの球５１０は、その軸のいずれに対しても自身を全体的に回転させ、第二ローター４５０の内部表面の全体にわたって回転し、配置されている場合にその複数の溝４５１に収納されている。
【００７１】
これまでの構成によって、第一ローター３００の回転が、第二ローター４５０の内部表面４５２に対する複数の球５１０を押すことによって作用する板バネ５００の回転を生じさせるとき、これらの球は、表面４５２に沿って回転する。上記クラッチ要素の位置、およびクラッチ作動機構２００の第三本体２５０の位置に応じて、運動は、第一ローター３００から第二ローター４５０まで、しがたってシリンダ６００のエキセン６１０まで伝えられるか、または伝えられない。
【００７２】
図２０および２１は、第一ローター３００に接続されているノブ１００を介してトルクを、ユーザが伝えるときに、第一ローター３００からの第二ローター４５０に対するトルクを伝えられない、アセンブリのクラッチのつながっていない位置を示しており、後者は、クラッチ作動機構２００の回転軸「ａ」と一致する自身の軸の周囲の回転を実行する。この位置において、上記クラッチ要素と相互作用する目的の、第三本体２５０の突起２５２は、複数の球５１０の中心を通る軸に直交する位置に配置されている。第一ローター３００のこの回転は、このような目的のために第一ローター３００のハウジング３２０に挿入されている２つの球５１０の回転を引き起こす。当該回転は、複数の球５１０が複数の溝と向かい合っていときに、内部表面４５２の全体にわたって複数の球５１０を回転させる。複数の球５１０は、上記内部（すなわちその内部（したがって、第二ローター４５０の内部）に配置されている複数の溝４５１のくぼんだ表面の全体にわたって回転する複数の溝４５１の内部）に向かって周方向に板バネ５００によって押されている。トルクが、第一ローター３００に伝え続けられるとき、複数の球５１０は、複数の溝４５１から離れ、板バネ５００の弾性力に反発して、第一ローター３００におけるハウジング３２０に押し込まれる。これは、エキセン６１０に作用可能であるために第二ローター４５０の回転に必要なトルクが、板バネ５００の力に反発して第一ローター３００の内部に複数の球５１０を移動させるために必要なトルクより大きい場合である。
【００７３】
さらに、図２２および２３は、トルクが第一ローター３００から第二ローター４５０、したがってシリンダ６００のエキセン６１０まで伝えられる上記アセンブリのクラッチのつながっている位置を示している。この位置において、上記クラッチ要素と相互作用することを目的としている第三本体２５０の突起２５２は、クラッチ作動機構２００が、第一および第二位置の間における第三本体２５０の位置を変更するために作動されるべきことを目的とするクラッチのつながっていない位置に対する約９０°の回転にともなって生じる、複数の球５１０の中心を通る軸に整列されている位置に配置されている。そのクラッチのつながっている位置への、第三本体２５０の完全な移動を生じさせるために、上記クラッチ機構の複数の球５１０は、複数の球５１０が第一ローター３００におけるハウジング３２０の内部にあり、かつ第三本体２５０の回転を防止している図２５に示されている位置と異なり、第二ローター４５０の複数の溝４５１にあるべきであり、したがって、第三本体２５０の回転を可能にする。トルクが第一ローター３００を介して伝えられるときに、複数の溝４５１の内部に置かれている複数の球５１０は、複数の溝４５１の表面全体を回転して、第一ローター３００におけるハウジング３２０の内部に向かって溝から離れるが、この運動は、第一ローター３００の回転と関係なく、複数の球５１０に干渉し、それらが複数の溝４５１を離れることを防止する第三本体２５０の突起２５２によって不可能にされる。この不可能性は、複数の球５１０が第一ローター３００と同じ回転方向に第二ローター４５０を推進させることを生じさせ、エキセン６１０の回転トルクに反発し、かつ図２４に見られるようにそれを回転させる。
【００７４】
同様に、図２５は、前の図２０〜２４に示されているクラッチのつながっていない位置からクラッチのつながっている位置の間における変位位置を示している。詳細には、回転を推進する複数の球５１０が、突起２５２および内部円筒表面４５２の間に挟まっているので、第三本体２５０は回転できない。複数の球５１０が、第二ローター４５０の複数の溝４５１に収納されていないからである。この状況は、複数の球５１０が複数の溝４５１に接触し、かつ収納される瞬間まで、第二ローター４５０への運動を伝えることなく、ユーザが第一ローター３００を回転させるときに解消される。この瞬間において、第三本体２５０は、第二弾性要素２４０、２４５に蓄積されているエネルギーによって、クラッチのつながっている位置に対する自由に回転する可能性を有している。このようにして、上記クラッチ要素は、第一ローター３００の回転が、その回転を第二ローター４５０に伝える図２３の位置に進む。
【図１】
2019511647.tif 000003
【図２Ａ】
2019511647.tif 000004
【図２Ｂ】
2019511647.tif 000005
【図３】
2019511647.tif 000006
【図４】
2019511647.tif 000007
【図５】
2019511647.tif 000008
【図６Ａ】
2019511647.tif 000009
【図６Ｂ】
2019511647.tif 000010
【図６Ｃ】
2019511647.tif 000011
【図６Ｄ】
2019511647.tif 000012
【図６Ｅ】
2019511647.tif 000013
【図６Ｆ】
2019511647.tif 000014
【図６Ｇ】
2019511647.tif 000015
【図７Ａ】
2019511647.tif 000016
【図７Ｂ】
2019511647.tif 000017
【図７Ｃ】
2019511647.tif 000018
【図８Ａ】
2019511647.tif 000019
【図８Ｂ】
2019511647.tif 000020
【図９Ａ】
2019511647.tif 000021
【図９Ｂ】
2019511647.tif 000022
【図１０】
2019511647.tif 000023
【図１１】
2019511647.tif 000024
【図１２】
2019511647.tif 000025
【図１３】
2019511647.tif 000026
【図１４】
2019511647.tif 000027
【図１５】
2019511647.tif 000028
【図１６】
2019511647.tif 000029
【図１７】
2019511647.tif 000030
【図１８】
2019511647.tif 000031
【図１９】
2019511647.tif 000032
【図２０】
2019511647.tif 000033
【図２１】
2019511647.tif 000034
【図２２】
2019511647.tif 000035
【図２３】
2019511647.tif 000036
【図２４】
2019511647.tif 000037
【図２５】
2019511647.tif 000038
【国際調査報告】
2019511647.tif 000039
2019511647.tif 000040
2019511647.tif 000041
2019511647.tif 000042
2019511647.tif 000043
2019511647.tif 000044